(57)【要約】      （修正有）【課題】現金自動取引装置において、偽造券等の異常な紙幣がリサイクル庫に混入した場合、当該紙幣を確実に流通させないようにし、信頼性を高める。【解決手段】現金自動取引装置は、紙幣を取込又は排出する入出金部１６と、紙幣を搬送する搬送部２４と、少なくとも紙幣の記番号を取得する鑑別部１８と、紙幣を収納するリサイクル庫２６と、リサイクル庫２６に収納された紙幣の記番号を収納紙幣記番号リストＬｉとして記憶する装置記憶部と、紙幣をリサイクル庫２６から搬送部２４を介して接客部３に搬送する際に鑑別部１８が取得した紙幣の記番号と、収納紙幣記番号リストＬｉとを比較し、収納紙幣記番号リストＬｉに存在しない記番号が付された紙幣である記番号未記載紙幣を検出した場合、所定の記番号未記載紙幣発見時処理を行う入出金機制御部１２とを設ける。【選択図】図３
2016085569.tif 000002
【特許請求の範囲】
【請求項１】
紙幣を取込又は排出する接客部と、
前記紙幣を搬送する搬送部と、
少なくとも紙幣の記番号を取得する鑑別部と、
前記紙幣を収納する収納庫と、
前記収納庫に収納された紙幣の記番号を収納記番号データとして記憶する記憶部と、
紙幣を前記収納庫から前記搬送部を介して前記接客部に搬送する際に前記鑑別部が取得した紙幣の記番号と、前記収納記番号データとを比較し、前記収納記番号データに存在しない記番号が付された紙幣である記番号未記載紙幣を検出した場合、所定の記番号未記載紙幣発見時処理を行う制御部と
を有する紙幣取引装置。
【請求項２】
前記制御部は、前記紙幣を前記収納庫から前記接客部に搬送する際に前記鑑別部が取得した紙幣の記番号が前記収納記番号データに存在した場合、前記記番号未記載紙幣発見時処理を行うことなく、当該紙幣を前記接客部に搬送する
請求項１に記載の紙幣取引装置。
【請求項３】
前記収納庫は、前記紙幣取引装置に対し着脱可能に構成されると共に、当該収納庫に収納された紙幣の記番号を示す収納庫内蔵記番号データを記憶する収納庫記憶部を有し、
前記制御部は、前記紙幣取引装置に前記収納庫が装着された際、当該収納庫の収納庫記憶部から前記収納庫内蔵記番号データを取得し、前記収納記番号データに記憶させる
請求項１に記載の紙幣取引装置。
【請求項４】
前記制御部は、前記紙幣取引装置を稼働させた際に、前記紙幣を収納した前記収納庫の収納庫記憶部における前記収納庫内蔵記番号データに当該紙幣の記番号を追加すると共に前記紙幣を繰り出した前記収納庫の収納庫記憶部における前記収納庫内蔵記番号データから当該紙幣の記番号を削除することにより、前記収納庫内蔵記番号データを更新する
請求項３に記載の紙幣取引装置。
【請求項５】
前記制御部は、前記紙幣取引装置を稼働させた際に、前記収納記番号データにおける、前記紙幣を収納した前記収納庫の記番号のデータに当該紙幣の記番号を追加すると共に前記紙幣を繰り出した前記収納庫の記番号のデータから当該紙幣の記番号を削除することにより、前記収納記番号データを更新する
請求項１に記載の紙幣取引装置。
【請求項６】
前記制御部は、前記記番号未記載紙幣発見時処理として、前記記番号未記載紙幣を繰り出した前記収納庫からの紙幣の繰出を停止し、他の収納庫から紙幣の繰出を再開する
請求項１に記載の紙幣取引装置。
【請求項７】
前記制御部は、出金すべき金額と、前記接客部へ既に搬送した紙幣の金額との差分の金額の分の紙幣が前記他の収納庫に収納されている場合、当該他の収納庫から紙幣の繰出を再開する
請求項６に記載の紙幣取引装置。
【請求項８】
前記制御部は、出金すべき紙幣と同一金種の紙幣が収納されている前記他の収納庫から紙幣の繰出を再開する
請求項７に記載の紙幣取引装置。
【請求項９】
前記制御部は、前記記番号未記載紙幣を繰り出した前記収納庫へ、当該記番号未記載紙幣を戻して収納する
請求項６に記載の紙幣取引装置。
【請求項１０】
前記制御部は、前記記番号未記載紙幣発見時処理として、前記記番号未記載紙幣を繰り出した前記収納庫からの紙幣の繰出を継続する
請求項１に記載の紙幣取引装置。
【請求項１１】
前記制御部は、前記記番号未記載紙幣発見時処理として、前記記番号未記載紙幣を所定の保留部に隔離し、出金取引を継続する
請求項１に記載の紙幣取引装置。
【請求項１２】
前記制御部は、前記記番号未記載紙幣発見時処理として、出金取引を停止し入金取引のみを行う
請求項１に記載の紙幣取引装置。
【請求項１３】
前記制御部は、前記記番号未記載紙幣発見時処理として、前記紙幣取引装置を休止させる
請求項１に記載の紙幣取引装置。
【発明の詳細な説明】
【技術分野】
【０００１】
本発明は紙幣取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。現金自動取引装置としては、例えば顧客との間で紙幣の授受を行う接客部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納するリサイクル庫とを有するものがある。
【０００３】
このような現金自動取引装置には、出金取引において紙幣が鑑別部を通過する際に当該紙幣の記番号を読み取り取得するものがある（例えば、特許文献１参照）。
【先行技術文献】
【特許文献】
【０００４】
【特許文献１】特開２０１２−１４６２４６号公報
【発明の概要】
【発明が解決しようとする課題】
【０００５】
そのような現金自動取引装置においては、偽造券等の異常な紙幣がリサイクル庫に混入した場合、当該紙幣を確実に流通させないようにし信頼性を高めることが望まれている。
【０００６】
本発明は以上の点を考慮してなされたもので、信頼性を高め得る紙幣取引装置を提案しようとするものである。
【課題を解決するための手段】
【０００７】
かかる課題を解決するため本発明の紙幣取引装置においては、紙幣を取込又は排出する接客部と、紙幣を搬送する搬送部と、少なくとも紙幣の記番号を取得する鑑別部と、紙幣を収納する収納庫と、収納庫に収納された紙幣の記番号を収納記番号データとして記憶する記憶部と、紙幣を収納庫から搬送部を介して接客部に搬送する際に鑑別部が取得した紙幣の記番号と、収納記番号データとを比較し、収納記番号データに存在しない記番号が付された紙幣である記番号未記載紙幣を検出した場合、所定の記番号未記載紙幣発見時処理を行う制御部とを設けるようにした。
【発明の効果】
【０００８】
本発明によれば、収納庫に収納された記番号未記載紙幣が流通してしまうことを防止できる。かくして本発明は、信頼性を高め得る紙幣取引装置を実現できる。
【図面の簡単な説明】
【０００９】
【図１】現金自動取引装置の構成を示す斜視図である。
【図２】現金自動取引装置の制御構成を示すブロック図である。
【図３】紙幣入出金機の構成を示す左側面図である。
【図４】収納紙幣記番号リストを示す図である。
【図５】支払紙幣記番号リストを示す図である。
【図６】カセット記番号リストを示す図である。
【図７】紙幣処理機及び紙幣入出金機の構成を示す左側面図である。
【図８】紙幣処理機の制御構成を示すブロック図である。
【図９】装填紙幣記番号取得処理手順を示すフローチャートである。
【図１０】入金処理手順を示すフローチャートである。
【図１１】収納処理手順を示すフローチャートである。
【図１２】第１の実施の形態による出金処理手順を示すフローチャートである。
【図１３】入金処理における紙幣の経路を示す略線図である。
【図１４】収納処理における紙幣の経路を示す略線図である。
【図１５】出金処理における紙幣の経路を示す略線図である。
【図１６】装填紙幣記番号確認処理手順を示すフローチャートである。
【図１７】第２の実施の形態による出金処理手順（１）を示すフローチャートである。
【図１８】第２の実施の形態による出金処理手順（２）を示すフローチャートである。
【発明を実施するための形態】
【００１０】
以下、発明を実施するための形態（以下実施の形態とする）について、図面を用いて説明する。
【００１１】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に接客部３が設けられている。
【００１２】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行う図示しないカード処理部が設けられている。入出金口５は、顧客が入金する紙幣が投入されると共に、顧客へ出金する紙幣が排出される部分である。また入出金口５は、シャッタを駆動することにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１３】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる装置記憶部３０から所定のプログラムを読み出して実行することにより、各部を制御して入金取引や出金取引等の種々の処理を行う。
【００１４】
装置記憶部３０は、鑑別部１８が紙幣を鑑別した鑑別結果及び紙幣の記番号の識別結果や、紙幣の枚数を計数した計数結果等を取引情報と合わせて記憶する。この装置記憶部３０は、図４に示す収納紙幣記番号リストＬｉと、図５に示す支払紙幣記番号リストＬｏとを記憶している。収納紙幣記番号リストＬｉは、入金処理によりリサイクル庫２６又は入金庫２８に収納された紙幣の記番号と、入金処理又は後述する紙幣処理機３４による紙幣装填処理によりリサイクル庫２６に収納された紙幣の記番号とを、日付情報、取引情報及び収納先情報と合わせて記憶している。具体的には収納紙幣記番号リストＬｉは、日付情報を示す「日付」の列に、紙幣がリサイクル庫２６又は入金庫２８に収納された日付を記憶し、取引情報を示す「取引」の列に、紙幣がリサイクル庫２６又は入金庫２８に収納された際の取引である「装填」又は「入金」を記憶し、収納先情報を示す「収納先」の列に、紙幣が収納されたリサイクル庫２６又は入金庫２８を示す内容を記憶し、記番号情報を示す「記番号」の列に、識別された記番号を記憶する。
【００１５】
支払紙幣記番号リストＬｏは、リサイクル庫２６から排出され出金された紙幣の記番号を、日付情報、取引情報及び収納先情報と合わせて記憶している。具体的には支払紙幣記番号リストＬｏは、日付情報を示す「日付」の列に、紙幣がリサイクル庫２６から排出され出金された日付を記憶し、取引情報を示す「取引」の列に、紙幣がリサイクル庫２６から排出され出金された際の取引である「出金」を記憶し、収納元情報を示す「収納元」の列に、紙幣が排出されたリサイクル庫２６を示す内容を記憶し、記番号情報を示す「記番号」の列に、識別された記番号を記憶する。
【００１６】
以下では、現金自動取引装置１のうち利用者が対峙する側を前側とし、その反対を後側とし、当該前側に対峙した利用者から見て左及び右をそれぞれ左側及び右側とし、さらに上側及び下側を定義して説明する。
【００１７】
［１−２．紙幣入出金機の内部構成］
紙幣入出金機１０は、図２及び図３に示すように、入出金機制御部１２が各部（紙幣入出金部１６、搬送部２４、鑑別部１８、一時保留部２０、リサイクル庫２６及び入金庫２８）を統括制御する。
【００１８】
入出金機制御部１２は、図示しないＣＰＵを中心に構成されており、ＲＯＭ、ＲＡＭ、ハードディスクドライブやフラッシュメモリ等でなる記憶部１３（図１）から所定のプログラムを読み出して実行することにより、各部を制御して入金取引や出金取引等の種々の処理を行う。
【００１９】
紙幣入出金機１０の内部には、上側に紙幣入出金部１６、紙幣の金種や真偽を判定する鑑別部１８及び入金紙幣等を一時的に保留する一時保留部２０等が設けられている。
【００２０】
紙幣入出金部１６は、顧客から投入された紙幣を１枚ずつ分離し搬送部２４へ繰り出す。また紙幣入出金部１６は、搬送部２４へ繰り出す紙幣と、入金不可紙幣として紙幣入出金部１６へ戻された紙幣とを分別して保持する。また紙幣入出金部１６は、当該紙幣入出金部１６内部において、搬送部２４へ繰り出す紙幣が存在するか否かを検出する図示しない紙幣検知センサが設けられている。
【００２１】
搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、当該鑑別部１８の後側と一時保留部２０及び紙幣入出金部１６とをそれぞれ接続している。また搬送部２４は、鑑別部１８の前側と紙幣入出金部１６、リサイクル庫２６及び入金庫２８とをそれぞれ接続している。搬送部２４の分岐点には、セレクタ（図示せず）が設けられており、入出金機制御部１２の制御に基づき回動することにより、紙幣の搬送先を切り替える。この搬送部２４には、紙幣を検出する紙幣検出センサが複数箇所に設けられており、紙幣の検出結果を入出金機制御部１２へ送出する。
【００２２】
鑑別部１８は、その内部で紙幣を搬送しながら、光学素子や磁気検出素子等を用いて当該紙幣の金種及び真偽、並びに損傷の程度等（正損）を鑑別し、その鑑別結果を入出金機制御部１２へ通知する。また鑑別部１８は、撮像した紙幣の画像データから、紙幣毎に付与されその紙幣の一面に予め印刷された英数字等で構成された紙幣識別情報である記番号を読み取り識別する。このとき鑑別部１８は、識別した字を識別結果として入出金機制御部１２へ通知する。これに応じて入出金機制御部１２は、取得した鑑別結果及び識別結果に基づいて紙幣の搬送先を決定する。
【００２３】
一時保留部２０は、入金時に顧客が紙幣入出金部１６へ投入した紙幣を一時的に保留し、鑑別部１８で入金可能と鑑別された入金可能紙幣を入金が確定するまで一時的に保留する。一方、入金不可と鑑別された入金不可紙幣は紙幣入出金部１６へ排出される。また一時保留部２０は、出金時において鑑別部１８で出金不可能と鑑別された出金不可紙幣を、出金可能な紙幣が出金されるまで一時的に保留し、その後当該出金不可紙幣を入金庫２８へ排出する。
【００２４】
また紙幣入出金機１０の内部には、下側に金種別のリサイクル庫２６（２６ａ、２６ｂ及び２６ｃ）と、鑑別部１８において破損した紙幣（いわゆる損券）と鑑別された紙幣、偽造券と判別された紙幣及び５千券や２千券等の還流されない金種の紙幣を格納する入金庫２８とが設けられている。リサイクル庫２６及び入金庫２８は、紙幣入出金機１０に設けられたスロットに着脱自在に構成されている。リサイクル庫２６は、収納排出機構により、搬送部２４から搬送されてきた紙幣を取り込んで収納すると共に、収納されている紙幣を排出して搬送部２４へ供給する。
【００２５】
入金庫２８、リサイクル庫２６ａ、２６ｂ及び２６ｃそれぞれは、例えばフラッシュメモリ等により構成されたカセット記憶部３２を内蔵している。カセット記憶部３２は、入出金機制御部１２から記番号の識別結果を取得し紙幣毎に記憶する。カセット記憶部３２は、当該カセット記憶部３２が内蔵されたリサイクル庫２６又は入金庫２８に収納されている紙幣の枚数と、図６に示すカセット記番号リストＬｃを記憶している。カセット記番号リストＬｃは、当該カセット記番号リストＬｃを記憶しているカセット記憶部３２が内蔵されたリサイクル庫２６又は入金庫２８に収納されている全ての紙幣の記番号を検索可能な形でリストとして記憶している。
【００２６】
かかる構成において現金自動取引装置１は、鑑別部１８による紙幣の鑑別結果及び識別結果等をもとに主制御部９及び入出金機制御部１２が各部を制御して、紙幣の入金処理及び出金処理等を行う。
【００２７】
リサイクル庫２６及び入金庫２８は、収納された紙幣が満杯になると、現金自動取引装置１から取り外され作業員により運ばれて所定の現金センタに回収される。一方リサイクル庫２６は、収納された紙幣が空になると、現金自動取引装置１から取り外され作業員により現金センタへ運ばれ、紙幣が装填される。
【００２８】
［１−３．紙幣処理機の構成］
現金センタには、図７及び図８に示す紙幣処理機３４が設置されている。紙幣処理機３４内には、当該紙幣処理機３４全体を統括制御する処理機制御部３６が設けられている。処理機制御部３６は、図示しないＣＰＵを中心に構成されており、ＲＯＭ、ＲＡＭ、ハードディスクドライブやフラッシュメモリ等でなる処理機記憶部３８から所定のプログラムを読み出して実行することにより、各部を制御して紙幣装填処理や装填紙幣記番号確認処理等の種々の処理を行う。
【００２９】
紙幣処理機３４は、内部に設けられたスロットにリサイクル庫２６及び入金庫２８が着脱自在に構成されている。また紙幣処理機３４は、紙幣入出金機１０から取り外された空のリサイクル庫２６がスロットに装着されると、所定の紙幣装填部により当該リサイクル庫２６に紙幣を装填する。さらに紙幣処理機３４は、リサイクル庫２６に紙幣を装填する際、記番号読取部４０により当該紙幣の記番号を読み取り、記番号書込部４２により記番号の識別結果を当該リサイクル庫２６のカセット記憶部３２に転送してカセット記番号リストＬｃに記憶させると共に、当該リサイクル庫２６に装填した紙幣の合計枚数を当該リサイクル庫２６のカセット記憶部３２に転送して記憶させる。これによりリサイクル庫２６のカセット記憶部３２には、当該リサイクル庫２６に装填された全ての紙幣の記番号がカセット記番号リストＬｃとして記憶される。
【００３０】
リサイクル庫２６は、紙幣が装填されると、紙幣処理機３４から取り外され作業員により現金センタから運ばれて紙幣入出金機１０の所定のスロットに装着される。
【００３１】
また紙幣処理機３４は、収納された紙幣が満杯になったリサイクル庫２６又は入金庫２８が紙幣入出金機１０から取り外されて作業員により運ばれ、スロットに装着されると、後述する装填紙幣記番号確認処理を行うことにより、紙幣入出金機１０から現金センタまで運ばれる間に悪意のある作業員により当該リサイクル庫２６又は入金庫２８に偽造券等が混入されたか否かを検出する。
【００３２】
［１−４．装填紙幣記番号取得処理］
次に、現金自動取引装置１による装填紙幣記番号取得処理の具体的な処理手順について、図９に示すフローチャートを用いて詳細に説明する。紙幣入出金機１０の入出金機制御部１２は、顧客が紙幣を入金する入金取引を行う前に、記憶部１３から装填紙幣記番号取得処理プログラムを読み出して実行することにより装填紙幣記番号取得処理手順ＲＴ１を開始し、ステップＳＰ１へ移る。ステップＳＰ１において入出金機制御部１２は、紙幣入出金機１０に設けられたスロットにリサイクル庫２６が装着されるまで待機する。スロットにリサイクル庫２６が装着されると、入出金機制御部１２は肯定結果を得て、ステップＳＰ２へ移る。
【００３３】
ステップＳＰ２において入出金機制御部１２は、スロットに装着されたリサイクル庫２６のカセット記憶部３２からカセット記番号リストＬｃを読み出すことにより、当該リサイクル庫２６に装填された紙幣の記番号を取得し、ステップＳＰ３へ移る。
【００３４】
ステップＳＰ３において入出金機制御部１２は、取得した記番号を主制御部９へ送出する。主制御部９は、入出金機制御部１２から取得した記番号を、日付情報、取引情報及び収納先情報と合わせて収納紙幣記番号リストＬｉ（図４）に記憶する。この装填紙幣記番号取得処理において、入出金機制御部１２は、日付情報を示す現在の日付と、取引情報を示す装填と、収納先情報を示す装着されたリサイクル庫２６（例えばリサイクル庫２６ａ）と、記番号情報を示す取得した記番号とを対応付けて収納紙幣記番号リストＬｉに記憶する。
【００３５】
続いて入出金機制御部１２はステップＳＰ４へ移り、装填紙幣記番号取得処理手順ＲＴ１を終了する。
【００３６】
［１−５．入金処理］
次に、現金自動取引装置１による入金処理の具体的な処理手順について、図１０に示すフローチャートを用いて詳細に説明する。なお図１３乃至図１５においては、紙幣入出金機１０内部を簡略化して図示している。
【００３７】
紙幣入出金機１０の入出金機制御部１２は、顧客が入金取引を行う場合、記憶部１３から入金処理プログラムを読み出して実行することにより図１０に示す入金処理手順ＲＴ２を開始し、ステップＳＰ１１へ移る。ステップＳＰ１１において入出金機制御部１２は、入出金口５のシャッタを開いて紙幣入出金部１６内へ紙幣を投入させ、当該紙幣を１枚ずつ鑑別部１８へ搬送することにより鑑別させて鑑別結果を取得し、ステップＳＰ１２へ移る。ステップＳＰ１２において入出金機制御部１２は、鑑別部１８において紙幣の記番号を識別させて識別結果を取得し、ステップＳＰ１３へ移る。
【００３８】
ステップＳＰ１３において入出金機制御部１２は、鑑別結果が正常であるか否かを判定する。ここで肯定結果が得られると、このことは鑑別結果が正常であったため紙幣が入金可能紙幣であることを表し、このとき入出金機制御部１２はステップＳＰ１４へ移る。ステップＳＰ１４において入出金機制御部１２は、図１３に示すようにセレクタ（図示せず）をルートＲ１へ切り替え、紙幣を鑑別部１８から一時保留部２０へ搬送してステップＳＰ１６へ移る。一方ステップＳＰ１３において否定結果が得られると、このことは紙幣が入金不可紙幣であることを表し、このとき入出金機制御部１２はステップＳＰ１５へ移る。ステップＳＰ１５において入出金機制御部１２は、図１３に示すようにセレクタ（図示せず）をルートＲ２へ切り替え、紙幣を鑑別部１８から紙幣入出金部１６へ搬送してステップＳＰ１６へ移る。
【００３９】
ステップＳＰ１６において入出金機制御部１２は、紙幣検知センサにより紙幣入出金部１６内に搬送部２４へ繰り出すべき紙幣が存在するか否かを判定する。ここで肯定結果が得られると、このことは投入された紙幣が未だ紙幣入出金部１６に残留していることを表し、このとき入出金機制御部１２はステップＳＰ１１へ戻り、紙幣入出金部１６から次の紙幣を搬送部２４へ繰り出す。一方ステップＳＰ１６において否定結果が得られると、このことは投入された全ての紙幣を紙幣入出金部１６から搬送部２４へ繰り出したことを表し、このとき入出金機制御部１２はステップＳＰ１７へ移り、入金処理手順ＲＴ２を終了する。
【００４０】
［１−６．収納処理］
次に、現金自動取引装置１による収納処理の具体的な処理手順について、図１１に示すフローチャートを用いて詳細に説明する。紙幣入出金機１０の入出金機制御部１２は、上述した入金処理の後に収納処理を行う際、記憶部１３から収納処理プログラムを読み出して実行することにより図１１に示す収納処理手順ＲＴ３を開始し、ステップＳＰ２１へ移る。ステップＳＰ２１において入出金機制御部１２は、入金処理において一時保留部２０に保持した紙幣を鑑別部１８へ搬送することにより鑑別させて鑑別結果を取得し、ステップＳＰ２２へ移る。ステップＳＰ２２において入出金機制御部１２は、鑑別部１８において紙幣の記番号を識別させて識別結果を取得し、ステップＳＰ２３へ移る。
【００４１】
ステップＳＰ２３において入出金機制御部１２は、鑑別結果が正常であるか否かを判定する。ここで肯定結果が得られると、このことは鑑別結果が正常であったため紙幣がリサイクル可能紙幣であることを表し、このとき入出金機制御部１２はステップＳＰ２４へ移る。ステップＳＰ２４において入出金機制御部１２は、図１４に示すようにセレクタ（図示せず）をルートＲ３へ切り替え、紙幣を鑑別部１８から各リサイクル庫２６へ搬送してステップＳＰ２６へ移る。一方ステップＳＰ２３において否定結果が得られると、このことは紙幣がリサイクル不可紙幣であることを表し、このとき入出金機制御部１２はステップＳＰ２５へ移る。ステップＳＰ２５において入出金機制御部１２は、図１４に示すようにセレクタ（図示せず）をルートＲ４へ切り替え、紙幣を鑑別部１８から入金庫２８へ搬送してステップＳＰ２６へ移る。
【００４２】
ステップＳＰ２６において入出金機制御部１２は、リサイクル庫２６又は入金庫２８へ搬送した紙幣の記番号の識別結果を主制御部９へ送出し、ステップＳＰ２７へ移る。主制御部９は、入出金機制御部１２から取得した記番号を、日付情報、取引情報及び収納先情報と合わせて収納紙幣記番号リストＬｉ（図４）に記憶する。この収納処理において、入出金機制御部１２は、日付情報を示す現在の日付と、取引情報を示す入金と、収納先情報を示す紙幣を収納したリサイクル庫２６（例えばリサイクル庫２６ｂ）又は入金庫２８と、記番号情報を示す記番号の識別結果とを対応付けて収納紙幣記番号リストＬｉに記憶する。
【００４３】
ステップＳＰ２７において入出金機制御部１２は、リサイクル庫２６又は入金庫２８へ搬送した紙幣の記番号を、当該紙幣が収納されたリサイクル庫２６又は入金庫２８におけるカセット記憶部３２のカセット記番号リストＬｃに追加することにより、当該カセット記番号リストＬｃを更新し、ステップＳＰ２８へ移る。
【００４４】
ステップＳＰ２８において入出金機制御部１２は、一時保留部２０内に鑑別部１８へ搬送すべき紙幣が存在するか否かを判定する。ここで肯定結果が得られると、このことは入金処理において一時保留部２０に収納された紙幣が未だ一時保留部２０に残留していることを表し、このとき入出金機制御部１２はステップＳＰ２１へ戻り、一時保留部２０から次の紙幣を搬送部２４へ繰り出す。一方ステップＳＰ２８において否定結果が得られると、このことは全ての紙幣を一時保留部２０から搬送部２４へ繰り出したことを表し、このとき入出金機制御部１２はステップＳＰ２９へ移り、収納処理手順ＲＴ３を終了する。
【００４５】
［１−７．出金処理］
次に、現金自動取引装置１による出金処理の具体的な処理手順について、図１２に示すフローチャートを用いて詳細に説明する。紙幣入出金機１０の入出金機制御部１２は、顧客が出金取引を行う場合、記憶部１３から出金処理プログラムを読み出して実行することにより図１２に示す出金処理手順ＲＴ４を開始し、ステップＳＰ３１へ移る。ステップＳＰ３１において入出金機制御部１２は、顧客により操作表示部６を介して出金取引が選択され出金金額が入力されると、要求金額に応じて必要な金種毎の紙幣枚数を認識し、出金枚数のカウントを開始し、ステップＳＰ３２へ移る。
【００４６】
ステップＳＰ３２において入出金機制御部１２は、要求金額に応じた金種毎の紙幣枚数に応じて各リサイクル庫２６から紙幣を繰り出して鑑別部１８へ搬送することにより鑑別させて鑑別結果を取得し、ステップＳＰ３３へ移る。ステップＳＰ３３において入出金機制御部１２は、鑑別部１８において紙幣の記番号を識別させて識別結果を取得し、ステップＳＰ３４へ移る。
【００４７】
ステップＳＰ３４において入出金機制御部１２は、鑑別結果が正常であるか否かを判定する。ここで肯定結果が得られると、このことは鑑別結果が正常であったため紙幣が出金可能紙幣であることを表し、このとき入出金機制御部１２はステップＳＰ３５へ移る。ステップＳＰ３５において入出金機制御部１２は、出金可能紙幣として判定された紙幣の記番号が、収納紙幣記番号リストＬｉに記載されているか否かを判定する。具体的には入出金機制御部１２は、収納紙幣記番号リストＬｉにおける、紙幣を排出したリサイクル庫２６が収納先情報として付されている記番号情報に、出金可能紙幣として判定された紙幣の記番号が記載されているか否かを判定する。ここで肯定結果が得られると、このことは紙幣が出金可能紙幣であり、且つ紙幣装填処理又は入金処理によって収納された紙幣であることを表し、このとき入出金機制御部１２はステップＳＰ３７へ移る。
【００４８】
ステップＳＰ３７において入出金機制御部１２は、出金枚数のカウントを１だけ増加させ、ステップＳＰ３８へ移る。ステップＳＰ３８において入出金機制御部１２は、図１５に示すようにセレクタ（図示せず）をルートＲ５へ切り替え、紙幣を鑑別部１８から紙幣入出金部１６へ搬送してステップＳＰ３９へ移る。
【００４９】
一方ステップＳＰ３４において否定結果が得られると、このことは紙幣が出金不可紙幣であることを表し、このとき入出金機制御部１２はステップＳＰ３６へ移る。ステップＳＰ３６において入出金機制御部１２は、図１５に示すようにセレクタ（図示せず）をルートＲ６へ切り替え、紙幣を鑑別部１８から一時保留部２０へ搬送してステップＳＰ３９へ移る。
【００５０】
ステップＳＰ３９において入出金機制御部１２は、リサイクル庫２６から紙幣入出金部１６へ搬送した紙幣の記番号の識別結果を主制御部９へ送出する。主制御部９は、入出金機制御部１２から取得した記番号を、日付情報、取引情報及び収納先情報と合わせて支払紙幣記番号リストＬｏ（図５）に記憶する。この出金処理において、入出金機制御部１２は、日付情報を示す現在の日付と、取引情報を示す出金と、収納先情報を示す出金した紙幣が収納されていたリサイクル庫２６（例えばリサイクル庫２６ａ）と、記番号情報を示す記番号の識別結果とを対応付けて支払紙幣記番号リストＬｏに記憶する。
【００５１】
ステップＳＰ４０において入出金機制御部１２は、リサイクル庫２６から紙幣入出金部１６又は一時保留部２０へ搬送した紙幣の記番号を、当該紙幣が収納されていたリサイクル庫２６におけるカセット記憶部３２のカセット記番号リストＬｃから削除することにより、当該カセット記番号リストＬｃを更新し、ステップＳＰ４１へ移る。
【００５２】
ステップＳＰ４１において入出金機制御部１２は、要求金額に応じた紙幣の枚数に出金枚数のカウントが達したか否かを判定する。ここで否定結果が得られると、このことは要求金額に応じた紙幣の枚数分の紙幣を未だ紙幣入出金部１６へ集積させていないことを表し、このとき入出金機制御部１２はステップＳＰ３２へ戻り、リサイクル庫２６から次の紙幣を鑑別部１８へ繰り出す。一方ステップＳＰ４１において肯定結果が得られると、このことは要求金額に応じた紙幣の枚数分の紙幣を紙幣入出金部１６へ集積させたことを表し、このとき入出金機制御部１２はシャッタを開け、紙幣入出金部１６内に集積されている紙幣を利用者に受け渡すことにより出金し、ステップＳＰ４３へ移り出金処理手順ＲＴ４を終了する。
【００５３】
一方ステップＳＰ３５において否定結果が得られると、このことは紙幣が出金可能紙幣ではあるものの、偽造券の可能性があるため出金すべきでない紙幣である記番号未記載紙幣であることを表し、このとき入出金機制御部１２はステップＳＰ４２へ移る。ステップＳＰ４２において入出金機制御部１２は、支払い動作を停止し縮退運用に移行する、すなわち入金取引は継続するが出金取引は行わない入金専用機として現金自動取引装置１を機能させる。ここで入出金機制御部１２は、縮退運用に移行する際、記番号未記載紙幣を図示しないリジェクト庫や偽券庫等に搬送することにより他の紙幣から隔離する。また入出金機制御部１２は、主制御部９を介し、現金自動取引装置１が入金専用機に移行したことを操作表示部６に表示する。続いて入出金機制御部１２は、ステップＳＰ４３へ移り出金処理手順ＲＴ４を終了する。
【００５４】
このように現金自動取引装置１は、スロットに装着されたリサイクル庫２６から繰り出した紙幣の記番号を、当該リサイクル庫２６に収納されている紙幣の記番号を示すカセット記番号リストＬｃと比較し、繰り出した紙幣の記番号がカセット記番号リストＬｃに記載されていない場合、支払い動作を停止し縮退運用に移行するようにした。これにより現金自動取引装置１は、現金センタの紙幣処理機３４から当該現金自動取引装置１まで運ばれる間に悪意のある作業員により紙幣がリサイクル庫２６から抜き出され、その代わりに同じ枚数だけ偽造券等が混入されたとしても、当該偽造券を検出することができる。
【００５５】
またこれにより現金自動取引装置１は、紙幣処理機３４においてリサイクル庫２６のカセット記憶部３２に記憶されたか又は入金処理及び収納処理においてリサイクル庫２６のカセット記憶部３２に記憶されたカセット記番号リストＬｃに記載された記番号以外の記番号が付された紙幣を顧客に出金してしまうことを防止できる。このため現金自動取引装置１は、出金すべき正常な紙幣としてリサイクル庫２６に収納されていた紙幣以外の紙幣を出金することを防止し、出金すべき正常な紙幣としてリサイクル庫２６に収納された紙幣のみを出金することができる。
【００５６】
［１−８．装填紙幣記番号確認処理］
次に、紙幣処理機３４による装填紙幣記番号確認処理の具体的な処理手順について、図１６に示すフローチャートを用いて詳細に説明する。紙幣処理機３４の処理機制御部３６は、収納された紙幣が満杯になったリサイクル庫２６又は入金庫２８が現金自動取引装置１から取り外されて作業員により運ばれ、スロットに装着されると、処理機記憶部３８から装填紙幣記番号確認処理プログラムを読み出して実行することにより装填紙幣記番号確認処理手順ＲＴ５を開始し、ステップＳＰ５１へ移る。ステップＳＰ５１において処理機制御部３６は、紙幣処理機３４に設けられたスロットにリサイクル庫２６又は入金庫２８が装着されるまで待機する。スロットにリサイクル庫２６又は入金庫２８が装着されると、ステップＳＰ５１において処理機制御部３６は肯定結果を得て、ステップＳＰ５２へ移る。
【００５７】
ステップＳＰ５２において処理機制御部３６は、スロットに装着されたリサイクル庫２６又は入金庫２８のカセット記憶部３２からカセット記番号リストＬｃを読み出すことにより、当該リサイクル庫２６に収納された紙幣の記番号を取得して処理機記憶部３８に記憶し、ステップＳＰ５３へ移る。
【００５８】
ステップＳＰ５３において処理機制御部３６は、リサイクル庫２６又は入金庫２８から紙幣を繰り出して搬送し記番号読取部４０において記番号を識別させて識別結果を取得し、ステップＳＰ５４へ移る。ステップＳＰ５４において処理機制御部３６は、識別した紙幣の記番号が、カセット記番号リストＬｃに記載されているか否かを判定する。ここで肯定結果が得られると、このことは紙幣が異常な紙幣である可能性は低いことを表し、このとき処理機制御部３６はステップＳＰ５５へ移る。
【００５９】
ステップＳＰ５５において処理機制御部３６は、リサイクル庫２６又は入金庫２８に紙幣が存在するか否かを判定する。ここで肯定結果が得られると、このことは収納された紙幣が未だリサイクル庫２６又は入金庫２８に残留していることを表し、このとき処理機制御部３６はステップＳＰ５３へ戻り、リサイクル庫２６又は入金庫２８から次の紙幣を搬送部２４へ繰り出す。一方ステップＳＰ５５において否定結果が得られると、このことは収納された全ての紙幣をリサイクル庫２６又は入金庫２８から搬送部２４へ繰り出したことを表し、このとき処理機制御部３６はステップＳＰ５７へ移り、装填紙幣記番号確認処理手順ＲＴ５を終了する。
【００６０】
一方ステップＳＰ５４において否定結果が得られると、このことは紙幣が異常な紙幣の可能性があることを表し、このとき処理機制御部３６はステップＳＰ５６へ移る。ステップＳＰ５６において処理機制御部３６は、スロットに装着されたリサイクル庫２６又は入金庫２８に収納されているはずのない記番号が付された紙幣を発見したことを所定の提示部に提示する等の異常紙幣発見時処理を行い、ステップＳＰ５７へ移り装填紙幣記番号確認処理手順ＲＴ５を終了する。
【００６１】
このように紙幣処理機３４は、スロットに装着されたリサイクル庫２６又は入金庫２８から繰り出した紙幣の記番号をカセット記番号リストＬｃと比較し、繰り出した紙幣の記番号がカセット記番号リストＬｃに記載されていない場合、異常紙幣発見時処理を行うようにした。これにより紙幣処理機３４は、現金自動取引装置１から現金センタの当該紙幣処理機３４まで運ばれる間に悪意のある作業員により紙幣がリサイクル庫２６又は入金庫２８から抜き出され、その代わりに同じ枚数だけ偽造券等が混入されたとしても、当該偽造券を検出することができる。
【００６２】
［１−９．効果］
以上の構成において現金自動取引装置１は、スロットに装着されたリサイクル庫２６から繰り出した紙幣の記番号を収納記番号データとしての収納紙幣記番号リストＬｉと比較し、繰り出した紙幣の記番号が収納紙幣記番号リストＬｉに記載されていない場合、記番号未記載紙幣発見時処理として、支払い動作を停止し縮退運用に移行するようにした。これにより現金自動取引装置１は、現金センタの紙幣処理機３４から当該現金自動取引装置１まで運ばれる間に悪意のある作業員により紙幣がリサイクル庫２６から抜き出され、その代わりに同じ枚数だけ偽造券等が混入されたとしても、当該偽造券を検出することができる共に、
【００６３】
このように現金自動取引装置１は、紙幣をリサイクル庫２６から繰り出す際、紙幣処理機３４により当該リサイクル庫２６に装填されたか、又は入金取引において当該リサイクル庫２６に入金された紙幣かの何れにも該当しない紙幣を検出した場合、そのような、当該リサイクル庫２６に収納されているはずのない記番号が付された紙幣を出金しないようにした。
【００６４】
これにより現金自動取引装置１は、収納紙幣記番号リストＬｉに記載されていない記番号を有する紙幣を発見した場合、悪意をもった作業員が自分の持っている偽造券と差し替えて当該紙幣を装填したことを確証することが可能となる。また現金自動取引装置１は、リサイクル庫２６に収納された紙幣の安全性を確保できると共に、悪意のある作業員に偽造券を洗浄させる機会を与えないようにすることができる。
【００６５】
また現金自動取引装置１は、出金取引の際にリサイクル庫２６から繰り出した紙幣の記番号を１枚ずつ識別し、識別結果を収納紙幣記番号リストＬｉと比較して収納紙幣記番号リストＬｉに記載されていなかった場合、支払い動作を停止するようにした、すなわち現金自動取引装置１は、出金取引の際にリアルタイムで記番号未記載紙幣を常に監視し、当該記番号未記載紙幣を検出した場合、支払い動作を停止するようにした。このため現金自動取引装置１は、偽造券の恐れがある記番号未記載紙幣を顧客に払い出してしまうことを防止できる。
【００６６】
また現金自動取引装置１は、リサイクル庫２６又は入金庫２８へ紙幣を収納した場合は、収納した紙幣の記番号を、当該紙幣が収納されたリサイクル庫２６又は入金庫２８における収納庫記憶部としてのカセット記憶部３２の収納庫内蔵記番号データとしてのカセット記番号リストＬｃに追加すると共に、リサイクル庫２６から紙幣を繰り出した場合は、繰り出した紙幣の記番号を、当該紙幣を繰り出したリサイクル庫２６におけるカセット記憶部３２のカセット記番号リストＬｃから削除することにより、当該カセット記番号リストＬｃを最新の状態に更新するようにした。
【００６７】
これにより現金自動取引装置１は、リサイクル庫２６が当該現金自動取引装置１から取り出されて移転先の他の現金自動取引装置に装着された場合も、移転先の現金自動取引装置における装置記憶部の収納紙幣記番号リストＬｉに、当該カセット記番号リストＬｃを主制御部により読み出させて当該リサイクル庫２６に収納されている紙幣の記番号を追加させて、記番号未記載紙幣の有無を検出させることができる。
【００６８】
また現金自動取引装置１は、収納紙幣記番号リストＬｉにおいて取引情報を示す「装填」又は「入金」を記憶するようにした。これにより現金自動取引装置１は、リサイクル庫２６から排出された記番号未記載紙幣を発見した場合、当該記番号未記載紙幣が、紙幣処理機３４によりリサイクル庫２６に装填された紙幣であるか、又は入金取引においてリサイクル庫２６に収納された紙幣であるかの流入経路を特定することができる。
【００６９】
以上の構成によれば現金自動取引装置１は、紙幣を取込又は排出する接客部３と、紙幣を搬送する搬送部２４と、少なくとも紙幣の記番号を取得する鑑別部１８と、紙幣を収納するリサイクル庫２６と、リサイクル庫２６に収納された紙幣の記番号を収納紙幣記番号リストＬｉとして記憶する装置記憶部３０と、紙幣をリサイクル庫２６から搬送部２４を介して接客部３に搬送する際に鑑別部１８が取得した紙幣の記番号と、収納紙幣記番号リストＬｉとを比較し、収納紙幣記番号リストＬｉに存在しない記番号が付された紙幣である記番号未記載紙幣を検出した場合、所定の記番号未記載紙幣発見時処理を行う入出金機制御部１２とを設けるようにした。これにより現金自動取引装置１は、リサイクル庫２６に収納された記番号未記載紙幣が流通してしまうことを防止できる。
【００７０】
［２．第２の実施の形態］
［２−１．現金自動取引装置及び紙幣入出金機の構成］
図１乃至図３に示すように、第２の実施の形態による現金自動取引装置１０１の紙幣入出金機１１０は、第１の実施の形態による現金自動取引装置１の紙幣入出金機１０と比べて、入出金機制御部１１２が入出金機制御部１２と異なっているものの、それ以外は同様に構成されている。
【００７１】
［２−２．出金処理］
次に、現金自動取引装置１０１による出金処理の具体的な処理手順について、図１７及び図１８に示すフローチャートを用いて詳細に説明する。出金処理手順ＲＴ１４においては、出金処理手順ＲＴ４（図１２）と同様の処理を行うステップについては出金処理手順ＲＴ４と同じ符号で示し、以下の説明においては出金処理手順ＲＴ４と異なるステップについて主に説明する。
【００７２】
図１７に示すステップＳＰ３１乃至ＳＰ３５の処理を行った後、ステップＳＰ３５において否定結果が得られると、入出金機制御部１１２は、図１８に示すステップＳＰ６１へ移り、記番号未記載紙幣を一時保留部２０へ搬送してステップＳＰ６２へ移る。
【００７３】
ステップＳＰ６２において入出金機制御部１１２は、記番号未記載紙幣を繰り出したリサイクル庫２６以外に、当該リサイクル庫２６と同一金種の紙幣を収納しているリサイクル庫２６が存在するか否かを判定する。ここで肯定結果が得られると、このことは、今回繰り出された記番号未記載紙幣以外にもさらに記番号未記載紙幣が混入している恐れがある、現在紙幣を繰り出しているリサイクル庫２６以外のリサイクル庫２６から紙幣の繰り出しを再開できることを表し、このとき入出金機制御部１１２はステップＳＰ６３へ移る。ステップＳＰ６３において入出金機制御部１１２は、記番号未記載紙幣を繰り出したリサイクル庫２６へ当該記番号未記載紙幣を戻し、ステップＳＰ６４へ移る。ステップＳＰ６４において入出金機制御部１１２は、記番号未記載紙幣を繰り出したリサイクル庫２６以外の別のリサイクル庫２６から、同一金種の紙幣の繰り出しを再開し、ステップＳＰ３２（図１７）へ戻り、リサイクル庫２６から次の紙幣を鑑別部１８へ繰り出す。
【００７４】
一方ステップＳＰ６２において肯定結果が得られると、このことは、記番号未記載紙幣を繰り出したリサイクル庫２６には、今回繰り出された記番号未記載紙幣以外にもさらに記番号未記載紙幣が混入している恐れがあるものの、当該リサイクル庫２６からの紙幣の繰り出しを継続する必要があることを表し、このとき入出金機制御部１１２はステップＳＰ６５へ移る。ステップＳＰ６５において入出金機制御部１１２は、記番号未記載紙幣を繰り出したリサイクル庫２６以外の他のリサイクル庫２６へ当該記番号未記載紙幣を戻し、ステップＳＰ６６へ移る。ステップＳＰ６６において入出金機制御部１１２は、記番号未記載紙幣を繰り出したリサイクル庫２６から、同一金種の紙幣の繰り出しを再開し、ステップＳＰ３２（図１７）へ戻り、リサイクル庫２６から次の紙幣を鑑別部１８へ繰り出す。
【００７５】
［２−３．効果］
上述した第１の実施の形態の現金自動取引装置１においては、記番号未記載紙幣を発見すると、支払い動作を停止し入金専用機に移行するため顧客の利便性を保てない可能性があった。これに対し第２の実施の形態の現金自動取引装置１０１は、記番号未記載紙幣を発見すると、記番号未記載紙幣発見時処理として、入金専用機に移行せず出金取引を継続するようにした。これにより現金自動取引装置１０１は、顧客の利便性を保つことができる。
【００７６】
また、記番号未記載紙幣が収納されていたリサイクル庫２６には、当該記番号未記載紙幣以外にもさらに記番号未記載紙幣が混入されている可能性があるため、当該リサイクル庫２６からそれ以上紙幣を繰り出して出金しないことが望ましい。
【００７７】
このため現金自動取引装置１０１は、記番号未記載紙幣が繰り出されたリサイクル庫２６以外に、当該リサイクル庫２６と同一金種の紙幣を収納しているリサイクル庫２６が存在する場合、記番号未記載紙幣が繰り出されたリサイクル庫２６に当該記番号未記載紙幣を戻すと共に、当該記番号未記載紙幣が繰り出されたリサイクル庫２６以外のリサイクル庫２６から紙幣の繰り出しを再開するようにした。これにより現金自動取引装置１０１は、記番号未記載紙幣が繰り出されたリサイクル庫２６からの以後の紙幣の繰り出しを中止し、記番号未記載紙幣を出金してしまう確率を低下させることができる。
【００７８】
また現金自動取引装置１０１は、記番号未記載紙幣が繰り出されたリサイクル庫２６以外に、当該リサイクル庫２６と同一金種の紙幣を収納しているリサイクル庫２６が存在しない場合、記番号未記載紙幣が繰り出されたリサイクル庫２６以外のリサイクル庫２６に当該記番号未記載紙幣を戻すと共に、当該記番号未記載紙幣が繰り出されたリサイクル庫２６から紙幣の繰り出しを再開するようにした。これにより現金自動取引装置１０１は、出金取引を中止することなく継続することができる。
【００７９】
［３．他の実施の形態］
なお上述した実施の形態の出金処理手順においては、紙幣の記番号が収納紙幣記番号リストＬｉに記載されているか否かを判定する場合について述べた。本発明はこれに限らず、紙幣の記番号が、当該紙幣を排出したリサイクル庫２６におけるカセット記憶部３２に記憶されたカセット記番号リストＬｃに記載されているか否かを判定しても良い。
【００８０】
また上述した第１の実施の形態においては、記番号未記載紙幣を発見すると、その後は現金自動取引装置１を入金専用機として機能させる場合について述べた。本発明はこれに限らず、記番号未記載紙幣を発見すると、現金自動取引装置１を休止させ、入金取引及び出金取引を行わないようにしても良い。
【００８１】
さらに上述した第２の実施の形態においては、記番号未記載紙幣が繰り出されたリサイクル庫２６以外に、当該リサイクル庫２６と同一金種の紙幣を収納しているリサイクル庫２６が存在しない場合、記番号未記載紙幣が繰り出されたリサイクル庫２６以外のリサイクル庫２６に当該記番号未記載紙幣を戻すと共に、当該記番号未記載紙幣が繰り出されたリサイクル庫２６から紙幣の繰り出しを再開する場合について述べた。本発明はこれに限らず、他のリサイクル庫２６に収納された紙幣の金種で払い出しの代替が可能な場合、記番号未記載紙幣が繰り出されたリサイクル庫２６に当該記番号未記載紙幣を戻すと共に、当該記番号未記載紙幣が繰り出されたリサイクル庫２６以外であり払い出しの代替が可能なリサイクル庫２６から紙幣の繰り出しを再開するようにしても良い。この場合顧客の要求金額から、これまでに紙幣入出金部１６へ搬送した紙幣の合計金額を差し引いた残金分の紙幣を、記番号未記載紙幣が繰り出されたリサイクル庫２６以外のリサイクル庫２６から代替出金できるかを判断する。例えば、顧客が１０００元の払い出しを所望しているところ、１００元の紙幣を５枚繰り出し５００元が紙幣入出金部１６へ集積された時点で記番号未記載紙幣を発見した場合、現金自動取引装置１０１は、５０元が入っている他のリサイクル庫２６内の残存枚数を考慮して代替できるか否かを判断する。具体的には現金自動取引装置１０１は、出金すべき残金が５００元であるため、５０元が入っている他のリサイクル庫２６に１０枚以上の紙幣があれば、代替できると判断する。またこのとき現金自動取引装置１０１は、リサイクル庫２６に収納された枚数が少なくなっているニアエンド状態を考慮しても良い。具体的にはニアエンド状態と判定する枚数が２０枚未満と予め設定されている場合、５０元の紙幣を１０枚繰り出してもリサイクル庫２６内の紙幣の残り枚数が２０枚未満にならない、３０枚以上の５０元の紙幣が収納されているリサイクル庫２６が存在する場合、代替出金が可能であると判定しても良い。また、複数庫のリサイクル庫２６から、代替出金を行っても良い。
【００８２】
さらに記番号未記載紙幣を、入金庫２８等、リサイクル庫２６以外の紙幣を収納可能な保留部に収納し、記番号未記載紙幣が繰り出されたリサイクル庫２６か、又は記番号未記載紙幣が繰り出されたリサイクル庫２６以外のリサイクル庫２６から紙幣の繰り出しを継続しても良い。
【００８３】
さらに上述した実施の形態においては、収納処理において、リサイクル庫２６又は入金庫２８へ搬送した紙幣の記番号の識別結果を収納紙幣記番号リストＬｉに記憶し、当該紙幣が収納されたリサイクル庫２６又は入金庫２８におけるカセット記憶部３２のカセット記番号リストＬｃに追加する場合について述べた。本発明はこれに限らず、入金処理において、リサイクル庫２６又は入金庫２８へ搬送する予定の紙幣の記番号の識別結果を収納紙幣記番号リストＬｉに記憶し、当該紙幣が収納される予定のリサイクル庫２６又は入金庫２８におけるカセット記憶部３２のカセット記番号リストＬｃに追加するようにしても良い。
【００８４】
さらに上述した実施の形態においては、出金取引の際にリアルタイムで記番号未記載紙幣を常に監視し、当該記番号未記載紙幣を検出した場合、記番号未記載紙幣発見時処理を行う場合について述べた。本発明はこれに限らず、収納紙幣記番号リストＬｉ及び支払紙幣記番号リストＬｏを作成するものの、リアルタイムで記番号未記載紙幣を常には監視せず、出金された紙幣において偽造券が発見された場合、当該偽造券に付された記番号を、収納紙幣記番号リストＬｉ及び支払紙幣記番号リストＬｏと照合するようにしても良い。
【００８５】
さらに上述した実施の形態においては、スロットに装着されたリサイクル庫２６のカセット記憶部３２からカセット記番号リストＬｃを読み出すことにより、当該リサイクル庫２６に装填された紙幣の記番号を取得し収納紙幣記番号リストＬｉに記憶する場合について述べた。本発明はこれに限らず、カセット記番号リストＬｃを読み出し、そのまま装置記憶部３０に記憶しても良い。
【００８６】
さらに、出金取引において、紙幣の走行異常等により当該紙幣の記番号が読み取れなかった場合、当該紙幣を一時保留部２０ではなく図示しないリジェクト庫等へ搬送するようにしても良い。
【００８７】
さらに上述した実施の形態においては、記憶部１３に予め記憶させておいた入金処理プログラム、収納処理プログラム及び出金処理プログラムを読み出して実行する場合について述べた。本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact Disc-Read Only Memory）等の外部記憶媒体を介して、外部から入金処理プログラム、収納処理プログラム及び出金処理プログラムを取得して実行しても良い。
【００８８】
さらに上述した実施の形態においては、現金を取引する現金自動取引装置１において、媒体としての紙幣の記番号を読み取る場合に本発明を適用する場合について述べた。本発明はこれに限らず、例えば商品券や金券、入場券等のような薄い紙状の媒体に付された固有な識別字を読み取る種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００８９】
さらに上述した実施の形態においては、入金取引及び出金取引を行う現金自動取引装置１に本発明を適用する場合について述べたが、入金取引のみを行う装置又は出金取引のみを行う装置に本発明を適用しても良い。
【００９０】
さらに上述した実施の形態においては、接客部としての接客部３と、搬送部としての搬送部２４と、鑑別部としての鑑別部１８と、収納庫としてのリサイクル庫２６又は入金庫２８と、記憶部としての装置記憶部３０又はカセット記憶部３２と、制御部としての入出金機制御部１２とによって、紙幣取引装置としての現金自動取引装置１を構成する場合について述べた。本発明はこれに限らず、その他種々の構成でなる接客部と、搬送部と、鑑別部と、収納庫と、記憶部と、制御部とによって、紙幣取引装置を構成しても良い。
【産業上の利用可能性】
【００９１】
本発明は、紙幣の記番号を判別し管理する種々の装置でも利用できる。
【符号の説明】
【００９２】
１、１０１……現金自動取引装置、２……筐体、３……接客部、４……カード入出口、５……入出金口、６……操作表示部、７……テンキー、８……レシート発行口、９……主制御部、１０、１１０……紙幣入出金機、１２、１１２……入出金機制御部、１３……記憶部、１６……紙幣入出金部、１８……鑑別部、２０……一時保留部、２４……搬送部、２６……リサイクル庫、２８……入金庫、３０……装置記憶部、３２……カセット記憶部、３４……紙幣処理機、３６……処理機制御部、３８……処理機記憶部、４０……記番号読取部、４２……記番号書込部、Ｌｉ……収納紙幣記番号リスト、Ｌｏ……支払紙幣記番号リスト、Ｌｃ……カセット記番号リスト。
【図１】
2016085569.tif 000003
【図２】
2016085569.tif 000004
【図３】
2016085569.tif 000005
【図４】
2016085569.tif 000006
【図５】
2016085569.tif 000007
【図６】
2016085569.tif 000008
【図７】
2016085569.tif 000009
【図８】
2016085569.tif 000010
【図９】
2016085569.tif 000011
【図１０】
2016085569.tif 000012
【図１１】
2016085569.tif 000013
【図１２】
2016085569.tif 000014
【図１３】
2016085569.tif 000015
【図１４】
2016085569.tif 000016
【図１５】
2016085569.tif 000017
【図１６】
2016085569.tif 000018
【図１７】
2016085569.tif 000019
【図１８】
2016085569.tif 000020